(57)【要約】【課題】衣類乾燥機能を備えた除湿機において、衣類乾燥運転終了後に除湿自動運転を継続することで部屋の湿度環境を快適な状態に保つことができる。【解決手段】本体内に設けた除湿手段２および送風手段３と、除湿手段２および送風手段３の運転制御を行う制御部５と、周辺空気の湿度を検出する湿度センサ７と、周辺空気の温度を検出する温度センサ６とを有し、制御部５は、衣類乾燥運転開始時に、周辺空気の温度と相対湿度とから、乾燥完了の所定値を設定し、一定期間毎に求めた周辺空気の温度と相対湿度に基づいて衣類の乾燥速度を算出し、乾燥速度を一定期間ごとに加算累積し、加算累積の値が乾燥完了の所定値に達した時に衣類の乾燥が終了したと判断して衣類乾燥運転を自動停止する除湿機において、衣類乾燥運転終了後に除湿自動運転を継続する運転モードを設けたものである。【選択図】図２
2014062655.tif 000002
【特許請求の範囲】
【請求項１】
本体内に設けた除湿手段および送風手段と、前記本体周辺空気の湿度を検出する湿度センサと、前記本体周辺空気の温度を検出する温度センサと、前記湿度センサと前記温度センサの両方または一方の検出値によって、除湿手段と送風手段とを制御することにより衣類乾燥運転または除湿自動運転を行う制御部とからなり、前記衣類乾燥運転は、衣類乾燥運転開始時に、周辺空気の温度と相対湿度とから、乾燥完了の所定値を設定し、一定期間毎に求めた周辺空気の温度と相対湿度に基づいて衣類の乾燥速度を算出し、前記乾燥速度を一定期間ごとに加算累積し、加算累積した値が前記の乾燥完了の所定値に達した時に衣類の乾燥が終了したと判断して自動停止し、前記除湿自動運転は、前記湿度センサの検出値が所定の湿度より高いと自動運転し、前記湿度センサの検出値が所定の湿度になると自動停止し、前記衣類乾燥運転の終了後に前記除湿自動運転を継続することを特徴とする除湿機。
【請求項２】
前記衣類乾燥運転の風量は、前記除湿自動運転の風量より大きいことを特徴とする請求項１に記載の除湿機。
【請求項３】
前記除湿自動運転として、目標の湿度設定値を相対湿度約４０〜７０％間の任意の値に設定できることを特徴とする請求項１または２に記載の除湿機。
【請求項４】
除湿自動運転として、ある一定時間のタイマー運転を自動設定することを特徴とする請求項１から３のいずれかに記載の除湿機。
【請求項５】
人を感知する人感センサを備え、前記人感センサが人を感知したときは、前記除湿自動運転として、目標の湿度設定値を相対湿度約６５％に設定することを特徴とする請求項１、２または請求項４のいずれかに記載の除湿機。
【発明の詳細な説明】
【技術分野】
【０００１】
本発明は、室内に吊り下げた衣類を乾燥させ自動停止する機能を備えた除湿機に関する。
【背景技術】
【０００２】
従来、衣類の乾燥の度合いを間接的に検出して乾燥運転を終了させる方法として特許文献１に示す方法が知られている。
【０００３】
この特許の乾燥の度合いを検知する方式は、衣類近傍空気の絶対湿度と周辺空気の絶対湿度の差が大きくなると、衣類内水分の周辺空気への移行速度が大きくなる現象をふまえたものである。
【０００４】
従って、除湿機は、周辺空気の温度と相対湿度を検知するセンサを備え、このセンサの信号を、マイクロコンピュータ（以下単にマイコン）を搭載した制御部（いずれも図示していない）内で処理して乾燥完了を検知する方式である。
【０００５】
図３に示すように、衣類乾燥運転がスタートした直後のＳ（ステップ）１０１において、周辺空気の温度Ｔｒと湿度Ｈｒが計測される。次に、この情報に基づいて、Ｓ１０２で乾燥完了乾燥度Ｄｘが設定される。このＤｘ値は、周辺空気の温度と相対湿度とによって規定される値であって、実験的に求め、前記のマイコン内に、テーブルとして収納されている。
【０００６】
次にＳ１０３において、前記温度と湿度の測定間隔（１分）が設定され、以降は測定間隔毎に次の処理が実施される。
【０００７】
まず、Ｓ１０６では、周辺空気の全熱量Ｉｒと絶対湿度Ｘｒを求める。次にＳ１０７で、全熱量Ｉｒから衣類近傍空気の絶対湿度Ｘｃを推定する。（この場合衣類近傍空気の相対湿度は１００％として推定する）。
【０００８】
次にＳ１０８で、求めた衣類近傍空気の絶対湿度Ｘｃと周辺空気の絶対湿度Ｘｒとの差に係数αを乗じた乾燥速度Ｔｔ（＝α（Ｘｃ−Ｘｒ））を演算する。
【０００９】
この乾燥速度Ｔｔは、Ｓ１０９で、一定時間間隔（１分）で加算され、加算累積値∫Ｔｔが衣類の乾燥度でありマイコン内に記憶される。この累積値∫ＴｔがＳ１０２で設定した乾燥完了乾燥度Ｄｘ値に達した時点で衣類の乾燥が終了したと判断する（Ｓ１１０）。
【００１０】
以上述べたことを要約すれば、計測した周辺空気の温度と相対湿度とから、周辺空気の全熱量と絶対湿度を求め、求めた全熱量から衣類近傍空気の絶対湿度を推測し、前記２者の絶対湿度の差を乾燥速度として算出し、この乾燥速度を一定期間ごとに加算累積し、この加算累積値が所定値に達した時に衣類の乾燥が終了したと判断するものである。
【００１１】
この方式では、室内の環境条件や広さおよび衣類の量などに関わらず精度よく衣類の乾燥を検知でき、無駄な電力消費を抑制できる。
【先行技術文献】
【特許文献】
【００１２】
【特許文献１】特開２００３−４２５１２号公報
【発明の概要】
【発明が解決しようとする課題】
【００１３】
このような衣類の乾燥度を推測して乾燥運転を終了させる除湿機は、衣類を乾燥させるために使われるので、通常良く使うリビング等の部屋ではなく、あまり使用しない部屋で使われる場合が多かった。すなわち、衣類乾燥終了後に、その部屋をすぐに使わないので、乾燥運転を終了させる際の部屋の湿度状態については、あまり考慮されていなかった。
【００１４】
ところが、ワンルームマンション等では、通常良く使うリビング等の部屋で衣類を乾燥させる場合が多く、その場合には、洗濯物は乾燥しているが、部屋の環境は湿度がまだ高い状態で、除湿機が運転停止してしまう場合がある。
【００１５】
そこで本発明は、上記従来の課題を解決するものであり、衣類乾燥運転終了後に除湿自動運転を継続することで、衣類乾燥運転終了後の部屋の湿度環境を快適な状態に保つ除湿機を提供することを目的とするものである。
【課題を解決するための手段】
【００１６】
本発明の除湿機は、上記目的を達成するために、本体内に設けた除湿手段および送風手段と、前記本体周辺空気の湿度を検出する湿度センサと、前記本体周辺空気の温度を検出する温度センサと、前記湿度センサと前記温度センサの両方または一方の検出値によって除湿手段と送風手段とを制御することにより衣類乾燥運転または除湿自動運転を行う制御部とからなり、前記衣類乾燥運転は、衣類乾燥運転開始時に、周辺空気の温度と相対湿度とから、乾燥完了の所定値を設定し、一定期間毎に求めた周辺空気の温度と相対湿度に基づいて衣類の乾燥速度を算出し、前記乾燥速度を一定期間ごとに加算累積し、加算累積した値が前記の乾燥完了の所定値に達した時に衣類の乾燥が終了したと判断して自動停止し、前記除湿自動運転は、前記湿度センサの検出値が所定の湿度より高いと自動運転し、前記湿度センサの検出値が所定の湿度になると自動停止し、前記衣類乾燥運転終了後に前記除湿自動運転を継続することを特徴とする。
【００１７】
これにより初期の目的を達成するものである。
【発明の効果】
【００１８】
以上のように、本発明は、本体内に設けた除湿手段および送風手段と、前記本体周辺空気の湿度を検出する湿度センサと、前記本体周辺空気の温度を検出する温度センサと、前記湿度センサと前記温度センサの両方または一方の検出値によって除湿手段と送風手段とを制御することにより衣類乾燥運転または除湿自動運転を行う制御部とからなり、前記衣類乾燥運転は、衣類乾燥運転開始時に、周辺空気の温度と相対湿度とから、乾燥完了の所定値を設定し、一定期間毎に求めた周辺空気の温度と相対湿度に基づいて衣類の乾燥速度を算出し、前記乾燥速度を一定期間ごとに加算累積し、加算累積した値が前記の乾燥完了の所定値に達した時に衣類の乾燥が終了したと判断して自動停止し、前記除湿自動運転は、前記湿度センサの検出値が所定の湿度より高いと自動運転し、前記湿度センサの検出値が所定の湿度になると自動停止し、前記衣類乾燥運転終了後に前記除湿自動運転を継続することを特徴とするものであり、衣類乾燥運転終了後の部屋の湿度環境を、快適な状態に保つことができるのである。
【００１９】
すなわち、衣類乾燥運転終了後に除湿自動運転を継続するので、衣類乾燥運転終了後の部屋の湿度環境を、快適な状態に保つことができるのである。
【図面の簡単な説明】
【００２０】
【図１】本発明の実施形態１の除湿機の構造を示す図
【図２】同運転動作の詳細を示すフローチャート
【図３】従来例の乾燥終了検知の詳細を示すフローチャート
【発明を実施するための形態】
【００２１】
（実施の形態１）
以下本発明の一実施形態を添付図面を用いて説明する。
【００２２】
図１に示すように、本実施形態の除湿機は、本体１内に設けた除湿手段２、送風手段３、再生ヒータ４、制御部５に接続された温度センサ６、湿度センサ７、人感センサ８、操作表示部９とで構成される。
【００２３】
除湿手段２は、再生ファン２１と、回動する除湿ロータ２２と、熱交換器２３および水タンク２４とで構成されている。
【００２４】
送風手段３の駆動により、室内から吸い込まれた空気は熱交換器２３を冷却させた後に除湿ロータ２２で吸湿され、除湿された空気が再び室内に放出されて室内の空気が除湿される。
【００２５】
除湿ロータ２２で吸湿された水分は、除湿ロータ２２の他方において再生ヒータ４で加熱された温風により、蒸発し、熱交換器２３で冷却され、水分として凝縮して水タンク２４に貯水される。
【００２６】
湿度センサ７は、本体１周辺空気の湿度を検出するものであり、温度センサ６は、本体１周辺空気の温度を検出するものである。
【００２７】
制御部５は、湿度センサ７と温度センサ６の両方または一方の検出値によって除湿手段２と送風手段３と再生ヒータ４とを制御することにより、衣類乾燥運転または除湿自動運転を行う。
【００２８】
衣類乾燥運転は、衣類乾燥運転開始時に、周辺空気の温度と相対湿度とから、乾燥完了の所定値を設定し、一定期間毎に求めた周辺空気の温度と相対湿度に基づいて衣類の乾燥速度を算出し、前記乾燥速度を一定期間ごとに加算累積し、加算累積した値が前記の乾燥完了の所定値に達した時に衣類の乾燥が終了したと判断して自動停止する。
【００２９】
除湿自動運転は、湿度センサ７の検出値が所定の湿度より高いと自動運転し、湿度センサ７の検出値が所定の湿度になると自動停止する。
【００３０】
なお、操作表示部９には、図示しないが、衣類乾燥運転終了後に除湿自動運転を継続する運転モード（キープドライ：Ｋｅｅｐ  Ｄｒｙ）を使用者が選択できるスイッチを備えている。
【００３１】
本実施形態における特徴点は、衣類乾燥運転終了後に除湿自動運転を継続する点である。
【００３２】
以下、図２を用いて具体的に説明する。図２は使用者が操作表示部９の衣類乾燥運転のスタートスイッチ（図示しない）を押した時点から、衣類乾燥運転が自動的に終了するまでの動作を示すフローチャートである。
【００３３】
Ｓ１０１において、温度センサ６と湿度センサ７が周辺空気の温度Ｔｒと湿度Ｈｒを検知する。次にＳ１０２において、制御部５であるマイクロコンピュータ（以下マイコンと略記）は、Ｄｘテーブルから検知したＴｒとＨｒに相当する乾燥完了乾燥度Ｄｘを抽出して設定する。
【００３４】
次のＳ１０３以降は、一定間隔（１分）で周辺空気の温度Ｔｒと湿度Ｈｒを検知して、このデータに基づいてマイコンが、Ｓ１０４以下の処理を実施する。
【００３５】
すなわち、Ｓ１０６において、周辺空気の温度Ｔｒと湿度Ｈｒとから、周辺空気の全熱量Ｉｒと絶対湿度Ｘｒを求める。次にＳ１０７において、周辺空気の全熱量Ｉｒと絶対湿度Ｘｒから衣類近傍空気の絶対湿度Ｘｃを推定する。（この場合衣類近傍空気の相対湿度は１００％として推定する。）。
【００３６】
次にＳ１０８において、衣類近傍空気の絶対湿度Ｘｃと周辺空気の絶対湿度Ｘｒとの差に係数αを乗じた乾燥速度Ｔｔ（＝α（Ｘｃ−Ｘｒ））を演算する。
【００３７】
この乾燥速度Ｔｔは、Ｓ１０９で加算累積され、累積値∫Ｔｔとしてマイコン内のメモリに記憶される。
【００３８】
Ｓ１１０において、Ｓ１０９で加算累積された累積値∫ＴｔとＳ１０２で設定された乾燥完了乾燥度Ｄｘとが比較される。
【００３９】
∫Ｔｔ≧Ｄｘ？に対し、ＮＯであればＳ１０５ジャンプし、周辺空気の温度Ｔｒと湿度Ｈｒを検知して、このデータに基づいてマイコンが、処理を実施する。ＹＥＳであれば、衣類乾燥運転を終了し、次のＳ１１において、操作表示部９の衣類乾燥運転終了後に除湿自動運転を継続する運転モード（キープドライ：Ｋｅｅｐ  Ｄｒｙ）が設定されているかどうかをチェックする。ここで、ＮＯであれば完全に運転を停止する。ＹＥＳであれば、除湿自動運転を開始する。
【００４０】
除湿自動運転を開始することで、乾燥運転が終了した直後で部屋の湿度がまだ十分に高く不快な状態の場合は、不快な状態を解消でき、部屋の湿度環境を快適な状態に保つことができる。
【００４１】
ここで、除湿自動運転が開始されると、除湿手段２、送風手段３、再生ヒータ４を止めることなく、湿度センサ７によって、周辺空気の湿度を検知する。この湿度センサ７の検出値が所定の湿度より高い場合には、湿度センサ７の検出値に応じた運転モードで、継続運転するので、除湿自動運転への切り替えが速くなる。更に、除湿手段２、送風手段３、再生ヒータ４を停止させないので、除湿手段２、送風手段３、再生ヒータ４を停止させた場合に比べ、再び起動させる為に必要な消費電力を低減できる。
【００４２】
また、湿度センサ７の検出値が所定の湿度より低い場合には、湿度センサ７によって、一定間隔（１分）で所定時間、湿度を検出しながら、最も除湿能力の低い運転モードで、除湿手段２、送風手段３、再生ヒータ４の運転を継続する。ここで、所定時間経過後も、湿度センサ７の検出値が所定の湿度より低い場合には、除湿自動運転を停止する。
【００４３】
一方、所定時間経過後に、湿度センサ７の検出値が所定の湿度より高い場合には、湿度センサ７の検出値に応じた運転モードで、除湿手段２、送風手段３、再生ヒータ４を止めることなく、継続運転するので、除湿自動運転への切り替えが速くなる。更に、除湿手段２、送風手段３、再生ヒータ４を停止させないので、除湿手段２、送風手段３、再生ヒータ４を停止させた場合に比べ、再び起動させる為に必要な消費電力を低減できる。
【００４４】
また、衣類乾燥運転の風量は、除湿自動運転の風量より大きいものである。すなわち、衣類乾燥運転の風量は、除湿自動運転の風量より大きいので、衣類乾燥運転の風量と、除湿自動運転の風量とが同じ場合に比べると、衣類乾燥運転の時間が短くなる。つまり、衣類が湿っている時間が短いので、衣類乾燥中に雑菌の繁殖を抑制できる。更に、衣類から水分は発生する時間が短いので、室内の高湿度状態が短くなり、カビ等と発生を抑制できる。
【００４５】
なお、除湿自動運転として、目標の湿度設定値を相対湿度約４０〜７０％間の任意の値に設定できるようにした場合、使用者の選択幅が広く、様々なニーズに対応できる。
【００４６】
また、ある一定時間のタイマー運転を自動設定することで、使用者の切り忘れに対応することができ、省エネの観点からも効果的な仕様を提供できる。
【００４７】
また、人を感知する人感センサ８を備え、人感センサ８が人を感知したときは、除湿自動運転の目標湿度設定値を相対湿度約６５％に自動設定変更することで、部屋の湿度が乾燥しすぎて、肌のコンディションを損なうことがないマイルドな湿度環境を提供できる。
【００４８】
なお、除湿手段としては、説明図ではデシカント方式を用いて説明したが、その他のコンプレッサー方式やハイブリット方式でも良い。
【００４９】
以上説明したように、衣類の乾燥度を推測して乾燥運転を終了させる本発明の除湿機では、衣類乾燥運転終了後に除湿自動運転を継続する設定手段を備え、衣類乾燥運転終了後に除湿自動運転することで、部屋の湿度環境を快適な状態に保つことができる。
【産業上の利用可能性】
【００５０】
本発明の除湿機は、室内に吊り下げた衣類を乾燥させ自動停止する機能を備え、衣類乾燥運転終了後に、除湿自動運転を継続することで部屋の湿度環境を快適な状態に保つことができるので家庭用の除湿機に関わらず旅館など業務用の用途にも適用できる。
【符号の説明】
【００５１】
１  本体
２  除湿手段
３  送風手段
４  再生ヒータ
５  制御部
６  温度センサ
７  湿度センサ
８  人感センサ
９  操作表示部
２１  再生ファン
２２  除湿ロータ
２３  熱交換器
【図１】
2014062655.tif 000003
【図２】
2014062655.tif 000004
【図３】
2014062655.tif 000005